(57)【特許請求の範囲】
【請求項１】
容器に取り付けて容器内の液を導入管からＦバルブを介してシリンダ部内に吸い上げ、該シリンダ内の液に圧を加えＳバルブを介してノズルから噴出させる蓄圧式スプレーに組み込まれるベース体であって、
キャップと容器口部の間に取り付けられ、下側に導入管を取り付ける取り付け部と、上側にＳバルブを閉弁方向に押圧する押圧バネ部とを備え、
押圧バネ部がやや先細りした円筒状に形成され、さらに、その円筒壁が等間隔に欠損されてなることを特徴とするベース体。
【請求項２】
ベース体の固定部の下方に導入管を取り付けるための嵌合部を備えていることを特徴とする請求項１記載のベース体。
【請求項３】
請求項１又は２記載のベース体を備えた蓄圧式スプレー。
【発明の詳細な説明】
【技術分野】
【０００１】
本発明は、蓄圧式スプレーのベース体及び蓄圧式スプレーに関し、より詳しくは、押圧バネが安定化し且つ組み付け工数が少なくなる蓄圧式スプレーのベース体及び該ベース体を備えた蓄圧式スプレーに関する。
【背景技術】
【０００２】
液噴出スプレーには、噴出力を高める特殊なＳバルブを備えたいわゆる蓄圧式スプレーがある。
この蓄圧式スプレーは、一般に、シリンダに対してピストンをスライドさせることにより、一定圧を超えたシリンダ内の液体をノズルから噴出させる構造となっている。
ここで、液体の流通が開閉される部位は、弁体と弁座によって封鎖されており、Ｆバルブが閉じた状態において一定の圧力で蓄圧された液体がシリンダ内から押し出されることにより、Ｓバルブの弁体と弁座とが開放されるようになっている。
この場合、Ｓバルブの弁体がバネを介して弁座に押圧されており、シリンダ内の液圧がこの押圧力を超えると弁が開いて液が通過することとなる。
いきなり弁が開いて液圧が開放されるので、液体は勢い良く外部に噴出するが、この後、シリンダ内が放圧されて、Ｓバルブは再び封鎖する。
蓄圧式スプレーにおいては、このようにして、シリンダ内の液を勢い良く外部に噴出することが可能であり極めて有用である。
【０００３】
このような蓄圧式スプレーとしては、例えば、本出願人によるものが幾つか出願されている（特許文献１、特許文献２等）。
例えば、容器に取り付けられた状態で、トリガー部（Ｔ）の回動によりピストン部（５）を移動させてシリンダ構造部（４）のシリンダ部内の液に圧を加え、容器の液を通路（Ｐ）を通してノズル部（３）から噴射させるトリガースプレーＡであって、シリンダ部と容器との間の通路に設けられたＦバルブ（２）と、該シリンダ部（４２Ａ）とノズル部の間の通路部に設けられたＳバルブ（１）と、を備え、Ｓバルブ（１）の弁体（１１）が、起立円筒部（７１）の弁座（１２）に対して押圧されており、シリンダ部の液圧によって、弁体と弁座との間に間隙を生じさせ（開弁）、液を通過させるものがある（例えば、特許文献１ 参照）。
【先行技術文献】
【特許文献】
【０００４】
【特許文献１】特願２０１５−１３３１３３号公報
【特許文献２】特願２０１６−８７５８１号公報
【発明の概要】
【発明が解決しようとする課題】
【０００５】
ところで、上記の蓄圧式スプレーにおいて、Ｓバルブの弁体が起立円筒部の弁座に対して押圧するのは、独立したコイルバネのバネ力による。
すなわち、蓄圧バルブの弁を閉じる方向に押圧する押圧バネが独立して一つの部品として設けられている。
そのため押圧バネの位置決めが必ずしも安定しない。
また、蓄圧式スプレー全体として見ても、部品点数が増えて組み込み工数が多くなる。
【０００６】
本発明はこのような事情を背景になされたものであり、押圧バネが安定化し且つ組み付け工数が少なくなる蓄圧式スプレーのベース体を提供することを目的とする。
【課題を解決するための手段】
【０００７】
本発明者は、上記課題を解決するため鋭意検討したところ、キャップを介して容器に取り付ける部品にバネ機能を付与することにより、上記課題を解決し得ることを見出し、本発明を完成するに至った。
【０００８】
すなわち本発明は、（１）容器に取り付けて容器内の液を導入管４からＦバルブ７を介してシリンダ部６内に吸い上げ、該シリンダ内の液に圧を加えＳバルブ１０を介してノズルから噴出させる蓄圧式スプレーＡに組み込まれるベース体２であって、キャップと容器口部の間に取り付けられ、下側に導入管４を取り付ける取り付け部と、上側にＳバルブ１０を閉弁方向に押圧する押圧バネ部１１とを備え、押圧バネ部１１がやや先細りした円筒状に形成され、さらに、その円筒壁が等間隔に欠損されてなるベース体２に存する。
【００１０】
すなわち本発明は、（２）ベース体２の固定部２１の下方に導入管４を取り付けるための嵌合部を備えていることを特徴とする上記（１）記載のベース体２に存する。
【００１１】
すなわち本発明は、（３）上記（１）又は（２）記載のベース体２を備えた蓄圧式スプレーＡに存する。
【発明の効果】
【００１２】
本発明は、容器に取り付けて容器内の液を導入管４からＦバルブ７を介してシリンダ部６内に吸い上げ、該シリンダ内の液に圧を加えＳバルブ１０を介してノズルから噴出させる蓄圧式スプレーＡに組み込まれるベース体２であって、キャップと容器口部の間に取り付けられ、下側に導入管４を取り付ける取り付け部と、上側にＳバルブ１０を閉弁方向に押圧する押圧バネ部１１を備えるので、押圧バネ部１１が一体形成されることにより押圧バネ部１１の位置が固定されるので、Ｓバルブ１０への押圧力が的確に伝達される。
また、蓄圧式スプレーＡを製造する際の組み付け工数が少なくなる。
このことにより、押圧バネ部１１の弾圧力が、偏りなく均等にＳバルブへ伝達される。
更にいうと、Ｓバルブ１０の鍔部１０ｃの下側に対し押圧バネ部１１が弾圧力を与える際に、Ｓバルブ１０及び押圧バネ部１１の軸心が安定した状態で維持される。
また、押圧バネ部１１は板バネであることから、高い弾圧力が得られる。
【００１３】
押圧バネ部１１がやや先細りした円筒状に形成され、さらに、その円筒壁が等間隔に欠損されてなることにより、押圧バネ部１１の弾圧力が、偏りなく均等にＳバルブへ伝達される。
更にいうと、Ｓバルブ１０に対し押圧バネ部１１が弾圧力を与える際に、Ｓバルブ１０及び押圧バネ部１１の軸心が安定した状態で維持される。
また、押圧バネ部１１は板バネであることから、高い弾圧力が得られる。
【００１４】
また、押圧バネ部１１の数を変えることにより弾圧力を調整することができる。
ベース体２の固定部の２１の下方に導入管４を取り付けるための嵌合部を備えていることにより、容器内の液を偏りなく吸い上げることができる。
【００１５】
上記（１）〜（３）いずれかに記載のベース体２を備えた蓄圧式スプレーＡとすることにより、押圧バネ部１１の弾圧力が安定してＳバルブ１０に伝わり、高い噴霧効率が得られる。
【図面の簡単な説明】
【００１６】
【図１】図１は、蓄圧式スプレーの側面断面図である。
【図２】図２は、Ｓバルブの組み込まれた部分を拡大して示す断面図である。
【図３】図３は、トリガーを引いていない状態の蓄圧式スプレーの側面断面図である。
【図４】図４は、トリガーを引いている途中の蓄圧式スプレーの側面断面図である。
【図５】図５はトリガーを引き終わった状態の蓄圧式スプレーの側面断面図である。
【図６】図６は、復帰バネ部により、トリガーが元の位置へ戻っている途中の蓄圧式スプレーの側面断面図である。
【図７】図７は、上空間内の液圧により押し下げられた状態を示すＳバルブの拡大側面断面図である。
【図８】図８は、液漏れが生じた際のＳバルブの状態を示す側面断面図である。
【図９】図９は、図３におけるＸ−Ｘ´断面図である。
【図１０】図１０は、ベース体を示す斜視図である。
【図１１】図１１は、ベース体の異なる各実施の形態を示すものであり、例えば、図１１は、ベース体の異なる各実施の形態を示すものであり、図１１（Ａ）は、２つの円筒体よりなるもの、図１１（Ｂ）は、コイルバネよりなるもの、図１１（Ｃ）は、波板バネよりなるものを示す。
【発明を実施するための形態】
【００１７】
以下、必要に応じて図面を参照しつつ、本発明の好適な実施形態について詳細に説明する。
なお、図面中、同一要素には同一符号を付すこととし、重複する説明は省略する。
また、上下左右等の位置関係は、特に断らない限り、図面に示す位置関係に基づくものとする。
更に、図面の寸法比率は図示の比率に限られるものではない。
【００１８】
（実施の形態）
本発明は、蓄圧式スプレーＡに組み込まれるベース体２に関するものであり、Ｓバルブ１０に対して的確な弾圧力を付与する機能を有する。
ベース体２は、容器にキャップを介して蓄圧式スプレーＡを取り付ける場合に、ベース体２に取り付けられた状態で、容器の口部とキャップとの間で固定される。
まずベース体２が組み込まれた蓄圧式スプレーＡの一例について述べる。  
【００１９】
図１は、蓄圧式スプレーＡの側面断面図である。
本発明の蓄圧式スプレーＡは、機能についていうと、図に示さない容器に取り付けられ、シリンダ部６内に液が充填した状態で、トリガー９の回動によりピストン部８を図でいう右側に移動させてシリンダ部６のシリンダ部６内の液に圧を加え、（この時、Ｆバルブ７は閉じており、Ｓバルブ１０は開いている）、ノズル部５から噴射させるものである。
【００２０】
また、反対にトリガー９の復帰回動によりピストン部８を下流側（図における左側）に移動させて、シリンダ部６内を負圧化し、容器内の液をシリンダ部６内に充填させるものである（この時、Ｆバルブ７は開いており、Ｓバルブ１０は閉じている）。
【００２１】
尚、Ｆバルブ７はシリンダ部６と容器との間の液通路１２に設けられ、他方、Ｓバルブ１０はシリンダ部６とノズル部５の間の液通路１２に設けられている。
【００２２】
構造についていうと、蓄圧式スプレーＡは、ノズル部５と、ボディ部３と、シリンダ部６と、ピストン部８と、トリガー９と、復帰バネ部１３と、Ｓバルブ１０と、Ｆバルブ７と、押圧バネ部１１を備えたベース体２と、導入管４と、キャップ部１と、を備えている。
また、シリンダ部６やボディ部３やベース体２を覆うカバー体を備えている。
【００２３】
ボディ部３には、シリンダ部６を圧入するための空間を有するシリンダ受入部３１と、下方にベース体２を圧入するための空間を有するベース体受入部３２が設けられている。
シリンダ部６はボディ部３のシリンダ受入部３１に圧入により、また、ベース体２はボディ部３のベース体受入部３２に圧入により取り付けられる。
また、ノズル部５はボディ部３の上方に圧入により取り付けられる。 
【００２４】
トリガー９はボディ部３に回動可能に取り付けられており、復帰バネ部１３により復帰の回動が可能である。
【００２５】
次に、蓄圧式スプレーＡを構成する各部品について述べる。
まず、ボディ部３は、先述したようにシリンダ受入部３１を備えるが、このシリンダ受入部３１は、ボディ部３の中ほどで、前方（ノズル部側）へ開口した円筒状に形成されている。
【００２６】
また、ボディ部３の下端には外方にリブ３３が形成されており、該リブ３３がキャップ部１の上端と容器により挟み込まれる。これにより、ボディ部３とキャップ部１が確実に組み立てられる。
【００２７】
ボディ部３のベース体受入部３２は、ベース体２の形状に対応してボディ部３の下方に開口して形成されている。
ベース体２はボディ部３に取り付けられた状態で、キャップ部１を介して容器の口部に取り付けられる。
【００２８】
ベース体２は、詳しくは円筒状の固定部２１と、それより上方に伸びる起立円筒部２２とを有している。
そして中央部下方には、容器へと連絡する導入管４が圧入により取り付けられる。
【００２９】
ボディ部３のベース体受入部３２にベース体２の起立円筒部２２が取り付けられた状態では、ベース体受入部３２の上部に一定の広さの空間が画される。
該空間には、後述するＳバルブ１０が配設される。
【００３０】
また、上面視でベース体２の中央部から離れた位置に（換言すると導入管４の取り付け位置から偏芯した地位に）押圧バネ部１１と上述した起立円筒部２２とが上下方向に配設される。
ここで、この押圧バネ部１１はベース体２と射出成型等により一体形成されている。詳しくはベース体２の起立円筒部２２上端から起立して設けられる。このことにより部品点数の削減を図ることが可能となる。
また一体形成されることにより押圧バネ部１１の位置が固定されるので、Ｓバルブ１０への押圧力が的確に伝達される。
この実施形態の押圧バネ部１１はやや先細りした円筒状に形成され、さらに、その円筒壁が等間隔に欠損されてなるものである。
本実施の形態では、欠損が３箇所となっており押圧バネ部１１が３分割片よりなる例で示す。
このことにより、押圧バネ部１１の弾圧力が、偏りなく均等にＳバルブへ伝達される。
更にいうと、Ｓバルブ１０の鍔部１０ｃの下側に対し押圧バネ部１１が弾圧力を与える際に、Ｓバルブ１０及び押圧バネ部１１の軸心が安定した状態で維持される。
また、押圧バネ部１１は板バネであることから、高い弾圧力が得られる。
【００３１】
導入管４とＦバルブ７の間の液通路１２は、ボディ部３の内周壁と、ベース体２の起立円筒部２２の外壁により画され、スリット状となっている。
【００３２】
Ｆバルブ７はシリンダ部６と該液通路１２との間に設けられており、詳しくはシリンダ部６の底部に設けられている。
このＦバルブ７は容器側の液とシリンダ部６内の液を遮断或いは合流させるものである。
Ｆバルブ７は、シリンダ部６に圧が加えられ、内部の液が外方に噴出した後、ピストン部８が元の位置に戻ろうとするため、シリンダ部６内が減圧され、液通路１２から液がシリンダ部６内へ引き込まれることにより開弁される。
【００３３】
Ｆバルブ７は第２弁体Ｅ２と第２弁座Ｖ２とにより弁機能を発揮するもので、ボディ部３の底部に形成された環状の突起部がこの第２弁座Ｖ２の役割を担っている。
通常時、第２弁体Ｅ２は第２弁座Ｖ２に対して弾圧的に当接しており、開弁時に離れる。
【００３４】
すなわち、容器から吸い上げられてくる液により圧力を受けて、Ｆバルブ７の第２弁体Ｅ２は下流側（図で左側）に平行移動し、開弁する。
【００３５】
次にＳバルブ１０について述べる。図２は、Ｓバルブ１０の組み込まれた部分を拡大して示す断面図である。Ｓバルブ１０は第１弁体Ｅ１、該第１弁体Ｅ１の下方に形成されたバルブリップ部１０ａ及び更に下方に形成された鍔部１０ｂよりなる。
【００３６】
Ｓバルブ１０はボディ部３の内部（先述した、ベース体２とボディ部３内周壁で画される空間）に配される。
Ｓバルブ１０が配されるボディ部３の内周壁は、上方が縮径された段差部Ｖ１を有している。
この段差部Ｖ１がＳバルブ１０の第１弁座Ｖ１の機能を担う。
Ｓバルブ１０の第１弁体Ｅ１は該段差部Ｖ１に対向する傾斜面Ｅ１を有し、該傾斜面Ｅ１がボディ部３の段差部Ｖ１に当接している。
Ｓバルブ１０のこの傾斜面Ｅ１は、押圧バネ部１１により上方へ持ち上げられることによって、ボディ部３の内周壁の段差部Ｖ１と弾圧的に当接している。
【００３７】
Ｓバルブ１０の下方には、上方へ向けて漸次拡大するバルブリップ部１０ａが設けられ、ボディ部３の内周壁に対して弾圧的に当接している。
すなわち、バルブリップ部１０ａにより、ボディ部３の内周壁とＳバルブ１０の第１弁体Ｅ１との間の空間である上空間Ｋ１と、Ｓバルブ１０下方とボディ部３の内周壁及びベース体２との間の空間である下空間Ｋ２が遮断されている。
【００３８】
上述したように、ボディ部３の段差部Ｖ１である第１弁座Ｖ１とＳバルブ１０の第１弁体Ｅ１が弾圧的に当接していることにより、上空間Ｋ１は密閉された状態にある。
【００３９】
他方、バルブリップ部１０ａより下方の下空間Ｋ２は、ボディ部３の内周壁とベース体２の起立円筒部２２の外壁との間の液通路１２とい連通している。
【００４０】
バルブリップ部１０ａの下方には下方へ向けてスカート状に延出する鍔部１０ｂが設けられる。
鍔部１０ｂは、Ｓバルブ１０が上下に移動する際にボディ部３内周壁と摺動し、Ｓバルブ１０をガイドする。
【００４１】
Ｓバルブ１０は、トリガー９操作によりピストン部８が移動して、シリンダ部６に通じる上空間Ｋ１に液圧がかかることにより押圧バネのバネ力に打ち勝って下方に摺動し、先述したボディ部３の段差部Ｖ１である第１弁座Ｖ１と、Ｓバルブ１０の第１弁体Ｅ１の傾斜部との間が開く（開弁する）。
これにより、上空間Ｋ１から押し出された液は、さらにノズル部５へと流れ、ノズル部５より外部へと噴出する。
液が噴出され、上空間Ｋ１にかかる液圧が下がると、今度は押圧バネ部１１の弾圧力がＳバルブ１０を上方へと押し上げ、Ｓバルブ１０はボディ部３の段差部Ｖ１である第１弁座Ｖ１に弾圧的に当接する（閉弁する）。
これにより、上空間Ｋ１が再度密封される。
【００４２】
Ｓバルブ１０が閉弁した状態で、トリガー９は復帰バネ部１３によって元の位置に戻る。
この際、トリガー９によってピストン部８が移動されるとシリンダ内が負圧化し、容器内の液が導入管４を介して、Ｆバルブ７を通ってシリンダ内に引き込まれる（Ｓバルブ１０は閉じ、Ｆバルブ７は開く）。
【００４３】
図３〜図６は、トリガー９を引いて、トリガー９が復帰バネ部１３により元の位置に戻るまでの一連の動きを示す図である。
図３は、トリガー９を引いていない状態の蓄圧式スプレーＡの側面断面図である。
図４は、トリガー９を引いている途中の蓄圧式スプレーＡの側面断面図である。
図５は、トリガー９を引き終わった状態の蓄圧式スプレーＡの側面断面図である。
図６は、復帰バネ部１３により、トリガー９が元の位置へ戻っている途中の蓄圧式スプレーＡの側面断面図である。
図７は、上空間Ｋ１内の液圧により押し下げられたＳバルブ１０の拡大側面断面図である。
【００４４】
次に、液の流れについて言う。トリガー９の操作によって容器内の液は導入管４を通じて吸い上げられ、ボディ部３の内周壁とベース体２の外壁との間の液通路１２を通じ、Ｆバルブ７を通ってシリンダ部６へと吸い上げられる。
その後、上空間Ｋ１へと押し出され、Ｓバルブ１０を通ってノズル部５へ至り、外部へ噴霧される。
【００４５】
ここで蓄圧式トリガー９においては、バルブリップ部１０ａに不具合が生じ、上空間Ｋ１から下空間Ｋ２へ液が漏れ出る場合が生じ得る。
これらによって、下空間Ｋ２、具体的には押圧バネ部１１の周囲の空間に液が充填され、これが密閉状態にあると、Ｓバルブ１０の動きが妨げられるいわゆるバルブロックの状態が生じる。
しかし、本発明の蓄圧式スプレーＡにおいてはこの密閉状態が回避できる。
【００４６】
図８は、液漏れが生じた際のＳバルブ１０の拡大側面断面図である。
【００４７】
すなわち、本発明のＳバルブ１０は、押圧バネ部１１がＳバルブ１０の下方に設けられており、Ｓバルブ１０上方の液圧が過剰になった際や、バルブリップ部１０ａに不具合が生じた場合、Ｓバルブ１０上方に充填された液はバルブリップ部１０ａとボディ内周壁の間隙から押圧バネ部１１の側（下空間Ｋ２）に入り込む。
ところが本発明では、押圧バネ部１１が収まる下空間Ｋ２は、ボディ部３の内周壁とベース体２の起立円筒部２２の外壁との間に形成された液通路１２を介して容器と連続しているため、過剰な液は常に容器へ逃げられる状態であり、液が充填していてもＳバルブ１０の上下の摺動が妨げられることがない。
すなわち、バルブロックが生じない。
【００４８】
図９は、図３におけるＸ−Ｘ´断面図である。
【００４９】
先述した通り、液通路１２はベース体２の外壁とボディ部３内周壁により画されている。
バルブリップ部１０ａの直下にある下空間Ｋ２は、液通路１２と連絡する一体の空間となっているため、上空間Ｋ１から下空間Ｋ２へバルブリップ部１０ａを介して液漏れが生じた場合にも、その漏れ出た液が液通路１２を通って導入管４へ至り、容器に回収される。
このように下空間Ｋ２は液通路１２を通じて容器まで常に連通しているため、下空間Ｋ２に液が充填されている状態であっても、Ｓバルブ１０の動きを妨げることがなく、バルブロックが生じない。
【００５０】
したがって、従来のように外部への逃がし穴を作る機構と異なり、外部に液が漏れないので周囲を汚損することがない。
また、容器に回収された液は再度噴霧のために利用することができるため、無駄がない。
【００５１】
以上、本発明の好適な実施形態について説明したが、本発明は上記実施形態に限定されるものではない。
【００５２】
押圧バネ部１１の円筒壁は等間隔で欠損されているが、その欠損の分割数は２以上とすることができる。
【００５３】
また、上述の実施の形態で説明したベース体２は、図１０の斜視図に示すような形状であるが、このベース体２の形状は変更することができる。
例えば、図１１は、ベース体２の異なる各実施の形態を示すものであり、図１１（Ａ）は、２つの円筒体よりなるもの、図１１（Ｂ）は、コイルバネよりなるもの、図１１（Ｃ）は、波板バネよりなるものを示す。
図１１（Ａ）のように、その上面に一体に形成されている押圧バネ部１１が円筒体を２つ上下に重ねた形状をしたものとすることができる。
この円筒体が上から圧を受けることにより圧縮されて復帰力を発揮するものである。
Ｓバルブ１０の下面がこの円筒体の上に形成された円板に当接し、円筒体がやや圧縮された状態にあると、Ｓバルブ１０の弁体が弁座に圧接して閉弁することとなる。
【００５４】
図１１（Ｂ）のように、押圧バネ部１１は、その上面に一体に形成されている押し上げバネ部が２条コイルバネの形状とすることもできる。
このコイルバネが、上から圧を受けることにより圧縮されて復帰力を発揮するものである。
これもＳバルブ１０の下面がこの円筒体の上に形成された円板に当接し円筒体がやや圧縮された状態にあると、Ｓバルブ１０の弁体が弁座に圧接して閉弁する。
【００５５】
図１１（Ｃ）のように、押圧バネ部１１は、その上面に一体に形成されている押し上げバネ部が波状の板バネの形状をしたものとすることができる。
この波状の板バネが上から圧を受けることにより圧縮されて復帰力を発揮するものである。
これもＳバルブ１０の下面がこの波状の板バネの上に形成された円板に当接し波状の板バネが圧縮された状態にあると、Ｓバルブ１０の弁体が弁座に圧接して閉弁する。
なお、以上説明したベース体２の材質としては、熱可塑性樹脂（樹脂ｐｐ）、ポリアセタール（ＰＯＭ）等の素材が好適に用いられる。
【産業上の利用可能性】
【００５６】
本発明の蓄圧式スプレーＡは、工業用、家庭用を問わず液体を噴霧する目的に広く用いられる。
またベース体２に押圧バネ部１１が一体に設けられているため、Ｓバルブへの押圧力が効率よく作用し、蓄圧式スプレーＡとして高い噴霧効率が期待できるものである。
【符号の説明】
【００５７】
Ａ・・・蓄圧式スプレー
１・・・キャップ部
２・・・ベース体
２１・・・固定部
２２・・・起立円筒部
３・・・ボディ部
３１・・・シリンダ受入部
３２・・・ベース体受入部
３３・・・リブ
４・・・導入管
５・・・ノズル部
６・・・シリンダ部
７・・・Ｆバルブ
８・・・ピストン部
９・・・トリガー
１０・・・Ｓバルブ
１０ａ・・・バルブリップ部
１０ｂ・・・鍔部
１１・・・押圧バネ部
１２・・・液通路
１３・・・復帰バネ部
Ｅ１・・・第１弁体（傾斜面）
Ｅ２・・・第２弁体
Ｖ１・・・第１弁座（段差部）
Ｖ２・・・第２弁座
Ｋ１・・・上空間
Ｋ２・・・下空間
【図１】
0006723093.tif 000002
【図２】
0006723093.tif 000003
【図３】
0006723093.tif 000004
【図４】
0006723093.tif 000005
【図５】
0006723093.tif 000006
【図６】
0006723093.tif 000007
【図７】
0006723093.tif 000008
【図８】
0006723093.tif 000009
【図９】
0006723093.tif 000010
【図１０】
0006723093.tif 000011
【図１１】
0006723093.tif 000012